(57)【要約】【課題】  現場での作業性に優れ、床スラブを押さえる力の調節が容易な床スラブ補強装置を提供する。【解決手段】  梁３などの下構造体の間にある床スラブ４に加わる荷重、例えば上載荷重に対して床スラブ下で該床スラブ４を補強する補強装置であって、梁３，３間に設けた支持材12と、床スラブ４を押さえ支持材12に荷重が加わるように取り付けたジャッキ13とを備える。床スラブ４に加わる上載荷重、特に振動による荷重をジャッキ13で押え、床スラブ４のスパンが短くなり、床スラブ４の補強が可能となり、特に振動が発生しにくくなる。また、ジャッキアップすることで床スラブ４にプレストレスが与えられ、振動の発生を押えることができる。さらに、ジャッキ13をそのまま使用するため、部材のリラクゼーションや作用荷重の変化などに伴う不足プレストレス量をジャッキ13によりいつでも容易に調整でき、保守管理が容易となる。【選択図】  図１
2006118174.tif 000002
【特許請求の範囲】
【請求項１】
下構造体の間にある床スラブに加わる荷重に対して該床スラブ下で補強する補強装置であって、前記下構造体は梁，壁，柱のいずれかであり、前記下構造体間に設けた支持材と、前記床スラブを押さえ前記支持材に荷重が加わるように取り付けたジャッキとを備えることを特徴とする床スラブ補強装置。
【請求項２】
前記ジャッキを前記支持材の上に取り付けたことを特徴とする請求項１記載の床スラブ補強装置。
【請求項３】
前記支持部材は、その一端又は両端を前記床スラブ下面より所定距離離れた位置で前記下構造体に取り付けたことを特徴とする請求項１又は２記載の床スラブ補強装置。
【請求項４】
前記支持材は、鋼材，木材などの剛性梁であることを特徴とする請求項１〜３のいずれか１項に記載の床スラブ補強装置。
【請求項５】
前記支持材は、ワイヤーロープ，タイロッドなどの紐状体であることを特徴とする請求項１〜３のいずれか１項に記載の床スラブ補強装置。
【請求項６】
前記支持材にプレストレスを加えたことを特徴とする請求項４又は５記載の床スラブ補強装置。
【請求項７】
前記ジャッキは、雄螺子を有する回転式であることを特徴とする請求項１又は２記載の床スラブ補強装置。
【請求項８】
前記床スラブは、既設構造物であることを特徴とする請求項１〜７のいずれか１項に記載の床スラブ補強装置。
【請求項９】
前記荷重は、振動による荷重であることを特徴とする１〜８のいずれか１項に記載の床スラブ補強装置。
【請求項１０】
下構造体の間にある床スラブに加わる荷重に対して該床スラブ下で補強する床スラブ補強方法であって、前記下構造体は、前記床スラブに固定された梁，壁，柱のいずれかであり、前記下構造体間に支持材を設け、前記支持材に荷重が加わる位置にジャッキを取り付けた後、このジャッキに加わる圧力を制御して前記床スラブに加わる荷重に対して床スラブを補強することを特徴とする床スラブ補強方法。
【発明の詳細な説明】
【技術分野】
【０００１】
本発明は、荷重が加わる床スラブを補強する床スラブ補強装置とその補強方法に関する。
【背景技術】
【０００２】
床スラブに加わる荷重に対して床スラブを補強するため、新設建築物の場合では、床スラブに根太を設置したり、床スラブを厚くしたりするなどの措置を講ずることにより対応できるが、以下の問題がある。すなわち、床スラブの根太や床スラブの増厚などの部材が増える分、重くなり、根太を設置する場合では、形状が複雑となり、施工が煩雑となる。また、設計時とは異なる想定外の荷重が加わるなどの不確定な要素まで考慮することは過大設計に結びつく。
【０００３】
一方、既設建築物の場合では、仕切りを変更するなどの改装等により、環境条件などが変化すると、床スラブに新たな荷重が加わるなどの問題があり、特に、動的荷重として、床スラブに振動が発生する問題がある。これに対して、床スラブ下に鉄板を当てて埋め込み型枠とし、その鉄板と床との間に無収縮モルタル等を充填して床スラブを増厚し、該床スラブの剛性を高める工法がある。
【０００４】
しかし、この工法では、床スラブ下で、鉄板の取付けと、モルタル等の打設を行うため、作業に手間がかかり、特に、床スラブ下と鉄板との間へのモルタル打設では、充填がうまくいかないことが懸念される。また、床スラブのスパンは変化しないから、増厚すると、曲げ応力が増加するため、増厚のみでの対応には限界がある。さらにまた、長期間で見ると、既設の床スラブと増厚箇所が一体構造と見るには疑問が残る。
【０００５】
このように床スラブを増厚するなどの措置を講じることなく床スラブを補強し、特に床スラブの振動を防止するために、床スラブの下方位置に付加梁（鉄骨梁）を平行に配置し、この付加梁と床スラブとの間に粘性体や粘弾性体などからなる減衰材を介設して該減衰材を床スラブと付加梁とで挟む制振構造（例えば特許文献１）が提案されている。
【０００６】
しかし、この制振構造は、減衰材が床スラブを支える構造ではないから、基本的に床スラブのスパンは変らず、床スラブに発生する曲げ応力を低減することができないと共に、床スラブは振動し易い状態のままとなる。また、減衰材を用いる場合、一般的な材料に比べてコスト高を招き、その取付調整も煩雑で、長期間使用での劣化などの問題が予想される。
【０００７】
そこで、減衰材などを用いずに床スラブを補強する方法として、頂面に引張材支持溝を有する介物の平坦な底面を、下方に凸な状態で撓曲している床スラブの下面に当接し、同床スラブを挟んでその両側に位置する剛性が高く撓みの少ない床スラブ部間に、前記支持溝を通る引張材を緊張して床スラブの撓みを持ち上げる振動障害軽減方法（例えば特許文献２）がある。
【特許文献１】特開平１０−２９９８２４号公報
【特許文献２】特開平１０−２０５０４４号公報
【発明の開示】
【発明が解決しようとする課題】
【０００８】
上記特許文献２には、引張材に作用させる張力を加減することによって、床剛性を変化させることができると記載されているが、水平方向の引張材の張力の変化を縦方向の介物により床スラブを持ち上げる力に変換するものであるから、その調整が煩雑になることが予想される。
【０００９】
また、引張材に複数の介在を配置した場合、複数の介物による床スラブを持ち上げる力を調整することが難しく、調整するためには、１つの介在に対して少なくとも１本の引張材が必要となる。さらに、引張材の張力が介物を押し上げる力にしか用いられておらず、撓みを持ち上げるには有効であるが、振動防止効果に劣る面がある。
【００１０】
本発明は、このような問題点を解決しようとするもので、現場での作業性に優れ、床スラブを押さえる力の調節が容易な床スラブ補強装置とその補強方法を提供することを目的とし、加えて、振動防止効果に優れた床スラブ補強装置とその補強方法を提供することを目的とする。
【課題を解決するための手段】
【００１１】
請求項１の発明は、下構造体の間にある床スラブに加わる荷重に対して該床スラブ下で補強する補強装置であって、前記下構造体は梁，壁，柱のいずれかであり、前記下構造体間に設けた支持材と、前記床スラブを押さえ前記支持材に荷重が加わるように取り付けたジャッキとを備えるものである。
【００１２】
また、請求項２の発明は、前記ジャッキを前記支持材の上に取り付けたものである。
【００１３】
また、請求項３の発明は、前記支持部材は、その一端又は両端を前記床スラブ下面より所定距離離れた位置で前記下構造体に取り付けたものである。
【００１４】
また、請求項４の発明は、前記支持材は、鋼材，木材などの剛性梁である。
【００１５】
また、請求項５の発明は、前記支持材は、ワイヤーロープ，タイロッドなどの紐状体である。
【００１６】
また、請求項６の発明は、前記支持材にプレストレスを加えたものである。
【００１７】
また、請求項７の発明は、前記ジャッキは、雄螺子を有する回転式である。
【００１８】
また、請求項８の発明は、前記床スラブは、既設構造物である。
【００１９】
また、請求項９の発明は、前記荷重は、振動による荷重である。
【００２０】
また、請求項１０の発明は、下構造体の間にある床スラブに加わる荷重に対して該床スラブ下で補強する床スラブ補強方法であって、前記下構造体は、前記床スラブに固定された梁，壁，柱のいずれかであり、前記下構造体間に支持材を設け、前記支持材に荷重が加わる位置にジャッキを取り付けた後、このジャッキに加わる圧力を制御して前記床スラブに加わる荷重に対して床スラブを補強する補強方法である。
【発明の効果】
【００２１】
請求項１の構成によれば、床スラブに加わる荷重をジャッキで押えるため、床スラブのスパンが短くなり、床スラブが補強され、特に床スラブに振動が発生しにくくなる。また、ジャッキアップすることで床スラブにプレストレスが与えられ、補強が確実となり、加えて、振動の発生を押えることができる。さらに、ジャッキをそのまま使用するため、部材のリラクゼーションや作用荷重の変化などに伴う不足プレストレス量をジャッキによりいつでも容易に調整でき、保守管理が容易となる。
【００２２】
そして、既設の構造物に適用できるため、床スラブに新たな荷重が加わり、これがもとで、振動の発生が、完成の後、時間が経ってから分かった際でも、簡単に取り付けることができる。また、新設の構造物でも、必要箇所に設けて床スラブで不足する応力に対処したり、振動の発生を防止できる。さらに、既設・新設のいずれでも、支持材を梁，壁，柱のいずれかの間に取り付けるため、任意の箇所に容易に取り付けることができる。
【００２３】
また、請求項２の構成によれば、ジャッキを簡便に取付けることができる。
【００２４】
また、請求項３の構成によれば、支保材の端部を床スラブ下面より所定距離だけ離れた梁，壁，柱に取付けるため、ジャッキ取付け空間が確保できる。また、下構造体が前記床スラブと一体構造の梁（コンクリート製又は鋼製の剛性梁など）の場合、それら下構造体を介して床スラブの上面側に引張力が作用し、床スラブの荷重、特に振動発生を押さえる方向に作用する。
【００２５】
また、請求項４の構成によれば、支持材に鋼材，木材などの剛性梁を用いた場合、床スラブの振動による荷重がジャッキを介して支持材により確実に支持される。
【００２６】
また、請求項５の構成によれば、支持材にワイヤーロープ，タイロッドなどの紐状体を用いた場合、床スラブの押し下げ力が紐状体に引張力を発生させ、弾性的な減衰作用により、床スラブの荷重、特に振動発生を押さえる効果が得られる。
【００２７】
また、請求項６の構成によれば、支持材にプレストレスを加えて設置する場合、床スラブの荷重、特に振動発生がジャッキを介して支持材により確実に支持される。
【００２８】
また、請求項７の構成によれば、回転式のジャッキを用いることにより、市販品としてジャッキを容易に入手でき、また、操作が簡単なため、簡便で安価な工法となる。
【００２９】
また、請求項８の構成によれば、床スラブの荷重、特に振動の発生が、構造物の完成の後、時間が経ってから分かった際でも、簡単に取り付けることができ、既設の構造物の床スラブの荷重、特に振動発生を抑制することができる。
【００３０】
また、請求項９の構成によれば、特に荷重として振動に限定したため、動的な荷重への対処が容易となる。
【００３１】
また、請求項１０の構成によれば、新設及び既設の構造物のいずれであっても、また、単独及び複数のジャッキであっても、個別のジャッキを調整することで、床スラブに加わる荷重、特に振動の発生を最適なものに制御することができる。
【００３２】
尚、プレストレスとは、支持材、床スラブ等の部材に作用荷重が働く前に、作用荷重と反対の応力を加えることをいう。また、プレストレスを加える時期は支持材等の部材を所定箇所に設置する前でも後でもいずれでもよい。
【発明を実施するための最良の形態】
【００３３】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な床スラブの補強装置を採用することにより、従来にない床スラブ補強装置が得られ、床スラブ補強装置とその補強方法を夫々記述する。
【実施例１】
【００３４】
以下、本発明の実施例を添付図面を参照して説明する。図１〜図３は本発明の実施例１を示し、同図に示すように、構造物１は、コンクリート製の柱２，２，２，２を四方に備え、隣り合う柱２，２，２，２をコンクリート製の梁３，３，３，３で連結し、これら梁３，３，３，３の上部で前記柱２，２，２，２と一体にコンクリート製の床スラブ４が設けられている。尚、床スラブ４は柱２の外側にも連続して設けられている。そして、前記柱２及び梁３が下構造体である。また、前記梁３に代えてコンクリート製の壁（図示せず）を設ければ、この壁も下構造体となる。
【００３５】
前記床スラブ４と下構造体である梁３とは、両者コンクリート製であって、一体構造である。また、下構造体である梁３がＨ型鋼などからなる場合は、そのＨ型鋼の上部を床スラブ４内に埋設したり、上部を固定したりして一体化したものとする。
【００３６】
補強装置11は、床スラブ４に加わる荷重、例えば上載荷重、特に振動による荷重に対して、該床スラブ４下で補強するものであり、支持材12と、ジャッキ13とを備える。この例では、前記支持材12に鋼材や木材などを用いることにより剛性梁を構成する。図２に示すように、取り付ける梁３の長さ方向に間隔をおいて複数（２本）の支持材12を取り付けている。また、図１に示すように、前記支持材12を、床スラブ４の下面から所定距離だけ離して、対向する梁３，３間に取り付ける。このように前記支持材12を、床スラブ４の下面から所定距離だけ離すことにより、支持材12と床スラブ４との間にジャッキ13を取り付ける空間を設けることができ、また、梁３を介して床スラブ４の上面側に引張力を作用させ、床スラブ４の上載荷重、特に振動発生を押さえる方向に作用する。図１では、支持材12を床スラブ４とを平行に取り付けているが、支持材12を床スラブ４とを斜めに取り付けるようにしてもよい。また、支持材12を取り付ける梁３の部分には、鉄板などの補強を施すことが好ましい。
【００３７】
剛性梁を構成する支持材12は、Ｌ型鋼，Ｈ型鋼などの熱間圧延鋼材を用い、必要に応じて特殊鋼を用いることもでき、あるいはコンクリート梁などでもよい。前記熱間圧延鋼材は一般市販品である。梁３には、アンカーボルトなどの取付手段14により支持材12を直接取り付ける。図１では、支持材12の端部に取付板15を一体に設け、この取付板15をホールインアンカーである取付手段14により前記梁３に固定している。尚、このように直接固定して取付ける以外に、梁３にブラケット（図示せず）を取り付け、このブラケットの上に支持材12の端部を設置することにより、梁３，３間に支持材12を取付けるようにしてもよい。
【００３８】
支持材12は、梁３，３間に両端支持した梁部材であり、梁３，３間への取付けの際、長さ調整が必要な場合は、長さ方向に分割して２ピース以上とし、分割したものを接合して用いる。また、梁３，３間の支間長さが短い場合で、ジャッキ13を斜めで床スラブ４を保持できる場合などでは、支間の全長に渡り支持材12を用いる必要はなく、支持材12を片持ち梁として取付けて使用する。さらに、支持材12にプレストレス、すなわち断面下側に圧縮力、断面上側に引張力を、床スラブ４に加わる上載荷重が作用する前に加えた場合、支持材12の撓み量が少なくなる。
【００３９】
ジャッキ13は、動力源を用いない手動の回転式であり、例えば、図３に示すように、板状の下ベース部131に中空な支柱132を一体に立設し、この支柱132の上部に雄螺子棒133の下部を挿入し、この雄螺子棒133に支柱132より大きな操作体134を螺合し、前記雄螺子棒133の上端に、板状の上ベース部135を固着したものであり、操作体134を支柱132の上端に摺動しながら回動することにより、支柱132上端からの雄螺子棒134の突出寸法を調整し、ジャッキ13を伸縮するものなどを用いることができる。このように回転式とは部材を回転し、これを螺子により部材たる雄螺子棒133の移動に変換するものを言う。この例では、床スラブ４の上載荷重が加わるように、ジャッキ13を直接支持材12の上に設置する。あるいは支持材12の懸垂する位置でジャッキ13を載せるようにしてもよい。ジャッキ13は、支保工用ジャッキを用い、支保工用ジャッキとしては、一般市販品としてキリンジャッキや足場用ジャッキなどがあり、手動で部材を回転することにより上下に作動するものを用いる。これにより、簡便で安価な工法となる。尚、必要に応じて、電動式や油圧式などの動力源を必要とするジャッキを用いてもよい。ジャッキ13はその伸縮方向を鉛直方向に合わせて配置し、効率のよい使用とする。尚、上述したように、床スラブ４の支間長が短い場合には、梁３に支点を置いて斜め配置としてもよい。ジャッキ13は調整後に振動などで逆回転しないように適宜な回り止め措置を講じる。この場合、回り止め措置を講じた後でも、これを解除することにより再度ジャッキ13の作動が可能なものとする。また、ジャッキ13の上面が当たる部分の床スラブ４には、支圧としてパンチングシェアーが働く。このため、一定面積の鋼鈑である前記上ベース部135を用いることにより、床スラブ４にひび割れが発生することを防止できる。
【００４０】
尚、電動式のジャッキを用いた場合、ジャッキに加わる力を計測する計測手段を設け、この計測手段によりジャッキに加わる力を計測しながら、複数のジャッキを自動調整してジャッキアップすることができる。
【００４１】
そして、施工においては、梁３，３間に支持材12を取付け、この支持材12上にジャッキ13を取付け、ジャッキ13を伸長し、床スラブに加わる上載荷重、特に振動による荷重を計測し、この計測データに基いて複数のジャッキ13，13…の長さを調整して床スラブに加わる上載荷重、特に振動の発生を押える効果が得られる。
【００４２】
また、電動式のジャッキを用いた場合、ジャッキに加わる力を計測する計測手段を設け、この計測手段によりジャッキに加わる力を計測しながら、複数のジャッキを自動調整してジャッキアップすることができる。
【００４３】
そして、床スラブ振動の発生は、鉛直方向下向きの加振力によって生じるから、ジャッキ13により予め上向きの力を床スラブ４に与えることにより、下向き加振力が床スラブ４に作用したとき、お互いの力が相殺され、床スラブ４の振動を効果的に低減できる。また、本補強装置11では、構造物の重量が軽く済み、コストが安く、工期が短縮でき、施工が容易などの優れた効果が得られる。
【００４４】
このように本実施例では、請求項１に対応して、下構造体の間にある床スラブ４に加わる荷重、例えば上載荷重に対して該床スラブ下で補強する補強装置11であって、下構造体は梁３，壁，柱２のいずれかであり、下構造体である梁３，３間に設けた支持材12と、床スラブ４を押さえ支持材12に荷重が加わるように取り付けたジャッキ13とを備えるから、床スラブ４の上載荷重、特に振動による荷重をジャッキ13で押え、床スラブ４のスパンが短くなり、床スラブ４の上載荷重に対処し、特に振動が発生しにくくなる。また、ジャッキアップすることで床スラブ４にプレストレスが与えられ、振動の発生を押えることができる。さらに、ジャッキ13をそのまま使用するため、部材のリラクゼーションや作用荷重の変化などに伴う不足プレストレス量をジャッキ13によりいつでも容易に調整でき、保守管理が容易となる。
【００４５】
そして、この補強装置11は、既設の構造物に適用できるため、床スラブの上載荷重、特に振動の発生が、構造物の完成の後、時間が経ってから分かった際でも、簡単に取り付けることができる。また、新設の構造物でも、必要箇所に設けて上載荷重に対処でき、特に振動の発生を防止できる。さらに、既設・新設のいずれでも、支持材12を梁３，壁，柱２のいずれかの間に取り付けるため、任意の箇所に容易に取り付けることができる。
【００４６】
また、このように本実施例では、請求項２に対応して、ジャッキ13を支持材12の上に取り付けたから、ジャッキ13を簡便に取付けることができる。
【００４７】
また、このように本実施例では、請求項３に対応して、支持部材12は、その両端を床スラブ４の下面より所定距離離れた位置で下構造体たる梁３に取り付けから、ジャッキ13の取付け空間が確保できる。また、梁３が床スラブ４と一体構造であるから、それら梁３，３を介して床スラブ４の上面側に引張力が作用し、床スラブ４に加わる上載荷重、特に振動発生を押さえる方向に作用する。
【００４８】
また、このように本実施例では、請求項４に対応して、支持材12は、鋼材，木材などの剛性梁であるから、床スラブ４の振動による荷重がジャッキ13を介して支持材12により確実に支持される。
【００４９】
また、このように本実施例では、請求項７に対応して、ジャッキ13は、雄螺子を有する回転式であるから、回転式のジャッキ13を用いることによって、市販品として容易に入手でき、また、操作が簡単なことから、簡便で安価な工法となる。
【００５０】
また、このように本実施例では、請求項８に対応して、床スラブ４は、既設構造物であるから、床スラブに加わる上載荷重、特に振動の発生が、完成の後、時間が経ってから分かった際でも、補強装置11を簡単に取り付けることができ、既設の構造物の床スラブ４に加わる上載荷重に対処し、特に振動発生を抑制することができる。
【００５１】
また、このように本実施例では、請求項９に対応して、前記荷重は、振動による荷重であるから、動的な荷重への対処が容易となる。
【００５２】
また、このように本実施例では、請求項１０に対応して、下構造体である梁３，３の間にある床スラブ４に加わる荷重、例えば上載荷重に対して該床スラブ下で補強する床スラブ補強方法であって、下構造体は、床スラブ４に固定された梁３，壁，柱２のいずれかであり、この例では梁３であり、梁３，３間に支持材12を設け、支持材12に荷重が加わる位置にジャッキ13を取り付けた後、このジャッキ13に加わる圧力を制御して床スラブ４に加わる上載荷重に対して床スラブ４を補強し、特に振動を制御するから、新設及び既設の構造物のいずれであっても、また、単独及び複数のジャッキ13であっても、個別のジャッキ13に加わる圧力を調整することで、床スラブ４に加わる上載荷重、特に振動の発生を最適なものに制御することができる。
【００５３】
また、実施例上の効果として、梁３，３間に複数のジャッキ13を配置したから、床スラブ４のスパンが短くなり、この例では、２つのジャッキ13を配置したから、スパンが３分の１となり、床スラブ４に加わる作用応力が小さくなる。また、振動が発生しにくい構造が得られる。さらに、電動式のジャッキを用いた場合、ジャッキに加わる力を計測する計測手段を設け、この計測手段によりジャッキに加わる力を計測しながら、複数のジャッキを自動調整してジャッキアップすることができる。また、本実施例の補強装置11は、下構造体の間にある床スラブ４の振動を該床スラブ下で制振する制振装置であって、また、本実施例の補強方法は、床スラブ４に固定された梁３，壁，柱２のいずれかであり、この例では梁３であり、梁３，３間に支持材12を設け、支持材12に荷重が加わる位置にジャッキ13を取り付けた後、このジャッキ13に加わる圧力を調整して床スラブ４の振動を制御する床スラブ振動の制御方法であり、床スラブ４の振動を効果的に防止することができる。
【実施例２】
【００５４】
図４〜図７は本発明の実施例２を示し、上記実施例１と同一部分に同一符号を付し、その詳細な説明を省略して詳述すると、この例では、紐状体からなる支持材12Ａを用いており、この支持材12Ａを用いた場合、ジャッキ13により床スラブ４を押し上げる力を加えると、支持材12Ａに引張力が作用し、梁３と床スラブ４が一体構造であるため、梁３，３を介して床スラブ４の上面側に引張力を作用させ、これにより、床スラブ４に加わる上載荷重に対処し、振動発生を押さえる方向に作用する。また、この例では、紐状体からなる支持材12Ａに補間材を組み合わせ、補間材の上に前記ジャッキ13を配置して使用する。
【００５５】
紐状体である支持材12Ａは、ワイヤロープやタイロッドなどの弾性材料とする。施工において、支持材12Ａにプレテンションを加えない懸垂状態で使用する方法と、プレテンションを加えた状態で使用する方法がある。図６に示すように、梁３には、略コ型の取付部材21を取付け、この取付部材21は、両側坂部22，22の下部を底板部23で連結し、それら両側坂部22，22により梁３を両側から挟み、その側坂部22が、ホールインアンカーである取付手段14により梁３に取り付けられており、前記底板部23の下部に設けた一対の取付受部24，24に、前記支持材12Ａが固定される。図６では、取付部材21を用いて梁３の下に支持材12Ａを取り付けたが、部材応力上で問題がなければ、梁３の側面に孔を開けて支持材12Ａを取り付けるようにしてもよく、この場合、梁３の側面の孔周辺や梁３全体を鉄板などの補強材により補強するようにすることが好ましい。
【００５６】
前記支持材12Ａにはプレストレスを付与することができる。例えば、前記取付受部24，24に定着孔24Ａ，24Ａを穿設し、これら定着孔24Ａ，24Ａに支持材12Ａの端部を挿通し、外側の取付受部24から挿通した端部を引張った状態で、該端部を定着具25により定着することにより、プレストレス、即ちこの場合はプレテンションを付与することができる。尚、前記定着具25は楔作用により端部を固定するなどの構造を有する周知のものを用いることができる。プレテンションは床スラブに上載荷重が加わる前であれば、ジャッキ13の設置前又は設置後のいずれでもよく、ジャッキ13の調整が終了した後の装置の可動中に調整するようにしてもよい。このように、支持材12Ａにプレテンションを付与することにより、梁３と床スラブ４が一体構造であるため、梁３を介して床スラブ４に引張力が作用する。そして、振動による荷重が加わった時には床スラブ４にさらに強く引張力が発生し、振動を押える力として相乗的に作用する。
【００５７】
図５に示すように、梁３，３の間に支持材12Ａを複数設け、これら複数の支持材12Ａ，12Ａ，12Ａと交差方向の補間材31を設けている。この補間材31は、Ｈ型鋼，Ｌ型鋼，溝型鋼，平鋼などの熱間圧延鋼材を用い、必要に応じて特殊鋼を用いることもでき、あるいはワイヤロープやタイロッドなどの弾性材料からなる紐状体の支持材12Ａでもよい。すなわち、一側方向の支持材12Ａと、これと交差する他側方向の支持材12Ａを補間材31として組み合わせて用いてもよい。尚、前記熱間圧延鋼材は一般市販品である。そして、支持材12Ａだけではジャッキ13の位置が限定されるのに対して、補間材31を用い、補間材31の配置により、ジャッキ13を任意の位置に設置することができる。また、補間材31は、支持材12，12Ａの横方向抵抗力を増すために用いる。したがって、紐状体の支持材12Ａを用いる場合に特に有効であるが、補間材31を用いる必要がない場合は不要とする。そして、紐状体の支持材12Ａの上に直接ジャッキ13を取付ける場合は、支持材12Ａを２本並列にして用いるとジャッキ13を安定して取り付けることができる。
【００５８】
図７には、支持材12Ａへの補間材31の取付け例を示し、補間材31として２本のＬ型鋼32，32を用いている。支持材12Ａと交差方向で２本のＬ型鋼32，32を並列に配置し、これら並列したＬ型鋼32，32は、その内側片32Ａ，32Ａをクリップ33により支持材12Ａ上に取付けられ、その外側片を立てて配置する。そして、その内側片32Ａ，32Ａの上に、前記ジャッキ13の下ベース部131を載置し、必要に応じてボルトナットなどで固定する。また、ジャッキ13の上ベース部135はホールインアンカーなどの取付手段14により床スラブ４の下面に固定する。
【００５９】
このように本実施例では、請求項１〜３に対応に対応して、上記実施例１と同様な作用・効果を奏する。
【００６０】
また、このように本実施例では、請求項５に対応して、支持材12Ａは、ワイヤーロープ，タイロッドなどの紐状体であるから、床スラブ５の押し下げ力が紐状体である支持材12Ａに引張力を発生させ、弾性的な減衰作用により、床スラブ４に加わる上載荷重、特に床スラブ４の振動発生を押さえる効果が得られる。
【００６１】
また、このように本実施例では、請求項６に対応して、紐状体たる支持材12Ａにプレストレスを加えたから、即ちこの場合プレテンションを加えたから、床スラブ４の上面側に引張力が確実に作用し、床スラブ４に加わる上載荷重、特に振動発生を抑制する方向に作用する。
【００６２】
また、実施上の効果として、梁３の下部側に支持材12Ａを取り付け、取付位置が床スラブ４から離れた位置となり、その支持材12Ａにプレテンションを付与することにより、梁３と床スラブ４が一体構造の場合であるため、床スラブ４の上面側に大きな引張力が発生し、上載荷重、特に振動を効果的に押えることができる。
【実施例３】
【００６３】
図８は本発明の実施例３を示し、上記各実施例と同一部分に同一符号を付し、その詳細な説明を省略して詳述すると、この例は、装置11の制御のためにセンサ36を用いる。このセンサ36として、振動計が用いられ、形状はおよそ１０センチ四方程度の立方体である。センサ36は速度、加速度、変位量などを測定し、これらの測定値に基いて、振動の振幅、振動数を算出する。センサ36の設置位置は床スラブ４上面の中央で行うのが通常であるが、梁３，３間のスパンが長く、床スラブ４が広い場合は、適宜箇所に複数個配置する。また、床スラブ４の上面での測定又は設置に支障がある場合は、床スラブ４に埋め込む。センサ36による測定は、常時，定期的，補修時などその目的に合わせて適宜行う。さらに、センサ36の表示を直接目視により読み取っても良いし、センサ36の測定データをコンピュータなどに送って表示するようにしてもよい。
【００６４】
制御手順としては、センサ36のデータを解析し、個別のジャッキ13の制御量を算出し、この算出値に基いてジャッキ13の伸縮（アップ・ダウン）を制御する。解析にあたっては、コンピュータなどの制御手段37に、予めセンサ36の位置、床スラブ４の物性（例えば固有振動数）やジャッキ13の位置を入力して記憶させ、これら記憶したデータとセンサ36からの速度、加速度、変位量などのデータとに基いてジャッキ13の伸縮（アップ・ダウン）量を算出し、ジャッキ13が電動式であれば、制御手段37の制御によりジャッキ13の伸縮制御する。
【００６５】
ジャッキ13を手動で制御する場合は、センサ36の測定値を目視で読み取り、この測定値を解析し、ジャッキ13の伸縮（アップ・ダウン）量を算出し、手動で制御する。したがって、ジャッキの種類は問わない。
【００６６】
一方、上述した制御手段37を用いた自動制御では、センサ36のデータを制御手段に送り、制御手段37はデータを記憶すると共にデータを解析し、各ジャッキ13に制御量の電気信号を送り、ジャッキ13を自動で制御する。このように自動制御を行う場合は、ジャッキ13は、電動式、電磁式、空気式、油圧式などの電気信号で作動するものとする。尚、センサ36による測定時から、実際にジャッキ13を作動させるまでの時間は同時であっても、所定時間が経過した後でもよい。
【００６７】
このように本実施例では、請求項１〜１０に対応して上記各実施例と同様な作用・効果を奏し、また、この例では、床スラブ４の状態を検出するセンサ36を設け、このセンサ36の検出データにより床スラブの振動の振幅、振動数などを算出し、算出したデータに基いて個別のジャッキ13を調整することで、床スラブ振動の発生を最適なものに制御することができる。
【００６８】
なお、本発明は、前記実施例に限定されるものではなく、種々の変形実施が可能である。例えば、１つの支持材に設けるジャッキの位置及び数や、床スラブ全体に対するジャッキの位置や数などは、適宜選定可能であり、１個でも２個以上でもよい。また、実施例では、下構造体たる梁の間に支持材を設ける例を示したが、柱間、壁間、梁と柱との間、梁と壁の間、壁と柱の間でもよいことは言うまでもない。
【図面の簡単な説明】
【００６９】
【図１】本発明の実施例１を示す床スラブと補強装置の断面図である。
【図２】同上、平面説明図である。
【図３】同上、ジャッキの正面図である。
【図４】本発明の実施例２を示す床スラブと補強装置の断面図である。
【図５】同上、平面説明図である。
【図６】同上、要部の断面図である。
【図７】同上、ジャッキの取付状態を示す正面図である。
【図８】本発明の実施例３を示すブロック図である。
【符号の説明】
【００７０】
１  構造物
２  柱（下構造体）
３  梁（下構造体）
４  床スラブ
11  補強装置
12  支持材
12Ａ  支持材（紐状体）
13  ジャッキ
133  雄螺子棒
31  補間材
【図１】
2006118174.tif 000003
【図２】
2006118174.tif 000004
【図３】
2006118174.tif 000005
【図４】
2006118174.tif 000006
【図５】
2006118174.tif 000007
【図６】
2006118174.tif 000008
【図７】
2006118174.tif 000009
【図８】
2006118174.tif 000010